(57)【要約】【課題】常に電源配給を必要とする携帯型の電気通信機器が普及しているが、特に、痴呆症老人や知的障害者を対象とした場合、自らの意思で常時、例えば、ＧＰＳ機能を搭載した腕時計や携帯電話機などを装着したり持参することは極めて難しく、また紛失の可能性も高く、本人が充電や電池交換などの作業を行うことも、極めて難しいという問題がある。【解決手段】日常生活道具である寝具に装着されたエネルギ発生装置２１０から、例えば赤外線を太陽電池パネルにエネルギ配給する。光電効果により、バッテリーへ充電が行われ、ＧＰＳ機能を搭載したウェアブル携帯機器１５０が使用可能となる。接近距離が近く、毎日一定時間利用する寝具をエネルギ発生、送信装置とすることによって、本人の意思を必要せず、就寝時にもウェアブル携帯機器１５０の充電ができる。【選択図】    図１
2004236713.tif 000002
【特許請求の範囲】
【請求項１】
日常生活道具に装着されて充電のためのエネルギを発生するエネルギ発生装置と、前記エネルギ発生装置により充電されるバッテリを有しこのバッテリによりセンタと通信する通信部を有するウェアブル携帯機器とを備えたウェアブル携帯機器の充電システム。
【請求項２】
エネルギ発生装置は赤外線を発生し、ウェアブル携帯機器はバッテリを充電する光電変換装置を有する請求項１記載のウェアブル携帯機器の充電システム。
【請求項３】
ウェアブル携帯機器は、ＧＰＳ測位装置および医療機器部の少なくとも一方を備える請求項１または請求項２記載のウェアブル携帯機器の充電システム。
【請求項４】
エネルギ発生装置は、人体の健康状態を識別するセンサおよびセンタと通信する通信送受信部とを備える請求項１、請求項２または請求項３記載のウェアブル携帯機器の充電システム。
【発明の詳細な説明】
【０００１】
【発明の属する技術分野】
本発明は、ウェアブル携帯機器の充電システムに関するものである。
【０００２】
例えば充電エネルギ供給部を有する日常生活道具（枕、寝具）と充電エネルギ供給部により供給されるエネルギにより充電される携帯電子機器を備え、高齢化社会において、例えば、痴呆症老人や知的障害者を対象に、本人の意思を必要とせずに、身体に装着し、かつ充電を必要とする携帯機器の充電システムを提供する。
【０００３】
【従来の技術】
人体などに身に付け、常に電源配給を必要とする携帯型の電気通信機器が普及しているが、これらに用いられる電池は、本人の意思を必要とする外部電源による充電や交換が必要な使い捨て電池であった。
【０００４】
さらに、例えば、特開平８−３０４５２６号公報にあるように、痴呆症老人等を対象とした携帯型ＧＰＳにおいては、第三者に位置情報を発信する必要がない場合は、無線操作により、携帯型ＧＰＳへの電源をＯＦＦにでき、電池の消耗を極力抑えられる。
【０００５】
また、何らかのエネルギを発生させる寝具には、例えば、実開平７−３９８５０号公報にあるように、身体の血行をよくし、安眠を目的とするベットや枕などといった寝具に赤外線放出機能を備えたものがある。
【０００６】
【特許文献１】
特開平８−３０４５２６号公報
【非特許文献１】
実開平７−３９８５０号公報
【０００７】
【発明が解決しようとする課題】
しかし、上記従来の構成では、本人が装着することや、外出時に持参することを忘れた場合は機能しない。特に、痴呆症老人や知的障害者を対象とした場合、自らの意思で常時、例えば、ＧＰＳ機能を搭載した腕時計や携帯電話機などの装着や持参をすることは極めて難しい。紛失の可能性も高い。
特開平８−３０４５２６号公報においても、携帯型ＧＰＳの電池の消耗を抑えるものであるため充電が必要である。そのため必要に応じ、本人が充電や電池交換などの作業を意図的に行わなければならないという問題を有していた。
【０００８】
本発明は、上記従来の問題点を解決するもので、本人の意思を必要とせずに、身体に装着し、かつ充電を可能とするウェアブル携帯機器の充電システムを提供することを目的とする。
【０００９】
さらに、例えば実開平７−３９８５０号公報にあるような何らかのエネルギを発生させる寝具においても、身体の血行をよくするという医療目的だけにとどまらず、そのエネルギを用いて、充電を可能とするウェアブル携帯機器の充電システムを提供することを目的とする。
【００１０】
【課題を解決するための手段】
請求項１記載のウェアブル携帯機器の充電システムは、日常生活道具に装着されて充電のためのエネルギを発生するエネルギ発生装置と、エネルギ発生装置により充電されるバッテリを有しこのバッテリによりセンタと通信する通信部を有するウェアブル携帯機器とを備えたものである。
【００１１】
請求項１記載のウェアブル携帯機器の充電システムによれば、日常生活道具である寝具に装着されたエネルギ発生装置から、例えば赤外線を太陽電池パネルにエネルギ配給する。光電効果により、バッテリへ充電が行われ、ウェアブル携帯機器が使用可能となる。接近距離が近く、毎日一定時間利用する寝具をエネルギ発生、送信装置とすることによって、効果的にウェアブル通信機器を充電することができる。
【００１２】
したがって、例えば枕といった寝具にエネルギ発生装置を備え付けることにより、本人の意思を必要せず、就寝時にもウェアブル携帯機器の充電ができる。とくに日常生活道具である枕などの寝具を用いることにより、接近距離で効果的にウェアブル通信機器を充電できる。また、充電時に身体からの取り外しを必要としないため、紛失の可能性も低くなる。
【００１３】
請求項２記載のウェアブル携帯機器の充電システムは、請求項１において、エネルギ発生装置は赤外線を発生し、ウェアブル携帯機器はバッテリを充電する光電変換装置を有するものである。
【００１４】
請求項２記載のウェアブル携帯機器の充電システムによれば、請求項１と同様の効果がある。
【００１５】
請求項３記載のウェアブル携帯機器の充電システムは、請求項１または請求項２において、ウェアブル携帯機器が、ＧＰＳ測位装置および医療機器部の少なくとも一方を備えるものである。
【００１６】
請求項３記載のウェアブル携帯機器の充電システムによれば、請求項１または請求項２と同様の効果のほか、ＧＰＳ測位装置により使用者の位置情報を得ることができ、医療機器部により使用者の健康状態に関する情報の医療管理が随時できる。
【００１７】
請求項４記載のウェアブル携帯機器の充電システムは、請求項１、請求項２または請求項３において、エネルギ発生装置が、人体の健康状態を識別するセンサおよびセンタと通信する通信送受信部とを備えるものである。
【００１８】
請求項４記載のウェアブル携帯機器の充電システムによれば、請求項１、請求項２または請求項３と同様の効果のほか、センサからの情報による医療管理が随時でき、使用者の症状に合わせて血行をよくしたりリラックスさせるといった医療効果を施せる。
【００１９】
【発明の実施の形態】
以下、本発明の第１の実施形態について、図面を参照しながら説明する。
図１は、本発明の第１の実施形態におけるウェアブル携帯機器の充電システムを示す構成図である。図１において、１５０はＧＰＳを搭載したウェアブル携帯機器、２１０は寝具に装着されたエネルギ発生装置、４００はＧＰＳ衛星、４５０は基地局、５００はウェアブル携帯機器からの情報を受信する管理センタ、Ｓ１５０はウェアブル携帯機器から基地局への無線電波である。
【００２０】
以上のように構成された第１の実施の形態であるウェアブル携帯機器の充電システム全体の信号の流れについて説明する。
【００２１】
まず、ＧＰＳ衛星４００からの電波によって、ＧＰＳを内蔵したウェアブル携帯機器１５０の位置特定を行う。そのウェアブル携帯機器１５０の位置情報は、無線電波Ｓ１５０にて基地局４５０を経由し、管理センタ５００へ送信される。
一方、ウェアブル携帯機器１５０の充電システムは、身体との接近距離が近く、毎日一定時間利用する例えば枕といった寝具に装着されたエネルギ発生装置２１０から例えば、赤外線などのエネルギを放射することにより、光電効果が発生し、ウェアブル携帯機器の充電が行われる。就寝時でもウェアブル携帯機器の充電を可能とするものである。
【００２２】
図２は、第１の実施形態におけるエネルギ発生装置のブロック図と充電の対象となるウェアブル携帯機器のブロック図である。図２において、１５１は光電変換装置としての太陽電池パネル、１５２はバッテリー、１５３はＧＰＳ、１５４は基地局４００を経由し管理センタ５００と無線通信を行う送受信部、１５０は太陽電池パネル１５１、バッテリー１５２、ＧＰＳ１５３と送受信部１５４を備えた電子通信機器で構成したウェアブル携帯機器である。
【００２３】
３００はリモコン、２１１はリモコン３００からの入力信号を受信する入力インターフェース、２１２はマイコン、２１３はメモリ、２１４は赤外線を送信する赤外線出力インターフェース、２１０は入力インターフェース２１１、マイコン２１２、メモリ２１３、赤外線出力インターフェース２１４を備えたエネルギ発生装置である。Ｅ２１０はエネルギ発生装置２１０からウェアブル携帯機器１５０へ送信される例えば赤外線といったエネルギである。
【００２４】
以上のように構成された第１の実施の形態であるウェアブル携帯機器の充電システムの詳細について、以下、その動作を説明する。
【００２５】
例えば、ウェアブル携帯機器１５０を、ＧＰＳ機能を内蔵したピアスとする。使用者は、このＧＰＳ機能を内蔵したピアスを耳たぶにさし、図１に示すように、日常生活道具である寝具に装着されたエネルギ発生装置２１０を使って就寝する。
【００２６】
まず、使用者または第三者は、最初にリモコン３００にて、これから行う充電の利用状況の設定や、次回の使用時からの設定を省くために使用者の個人情報を入力する。次に、リモコン３００からの信号を、入力インターフェース２１１が信号受信し、マイコン２１２を経由し、メモリ２１３へその入力情報（データ）を格納する。そして、マイコン２１２は、メモリ２１３にある個人情報や入力情報を参照し、赤外線の放出量や放出時間など目的に応じた赤外線Ｅ２１０をウェアブル携帯機器１５０へ送信する。
【００２７】
一方、ウェアブル携帯機器１５０は、その赤外線Ｅ２１０をエネルギ受信部である太陽電池パネル１５１にて受信し、光電効果により電力を生成する。バッテリー１５２へその電力を蓄積し、ＧＰＳ１５３と送受信部１５４へ電力を配給する。さらに、急速に充電を必要とする場合は、メモリ２１３にある個人情報に基づき、例えば、放射時間１０分といった使用者の人体に影響を及ぼさない制限範囲内で使用できる等、個人の体力、症状に合わせたウェアブル携帯機器１５０の充電をする。
【００２８】
そして、このように充電が行われるウェアブル携帯機器１５０は、使用者が、このＧＰＳ機能を内蔵したピアスを耳たぶにさしていることにより、無線電波Ｓ１５０を用いて管理センタ５００にて、使用者の位置情報の確認が行われる。第三者が、使用者の位置情報の確認を行いたい場合も、管理センタ５００に問い合わせることにより位置情報の確認が行える。
【００２９】
以上のように本実施形態によれば、例えば、常に人体に装着するピアスは、特に取り外す必要もないので損失の可能性が極めて低く、寝具に装着されたエネルギ発生装置２１０を使用し、ウェアブル携帯機器１５０を装着したまま就寝することにより、本人の意思を必要とせずに充電ができる。特に、本人の意思による電池交換や充電作業を行うことが困難な痴呆症老人や知的障害者に対して効果的である。また、エネルギ受信部である太陽電池パネル１５１により、就寝時以外においても、野外では太陽光からの充電が行われる。屋内でも、蛍光灯からの充電が行われる。
【００３０】
なお、赤外線出力インターフェース２１４は、マグネトロンや赤外線放出素材も備えるものとしてもよい。特に、赤外線放出素材を使用する場合は、電波生成の電力を必要としないため、消費電力を削減できる。
【００３１】
なお、ウェアブル携帯機器１５０は、ピアスの他、イヤリングや腕輪といった装飾品や、常に電源配給を必要とする携帯電子機器一般を対象としてもよい。
【００３２】
（実施の形態２）
図３は、本発明の第２の実施形態におけるウェアブル携帯機器の充電システムの全体を示す構成図である。図３において、２１０は寝具に装着されたエネルギ発生装置、４００はＧＰＳ衛星、４５０は基地局、５００はウェアブル携帯機器からの情報を受信する管理センタ、Ｓ１５０は、ウェアブル携帯機器１５０から基地局４５０への無線電波であり、以上は図１の構成と同様なものである。図１の構成と異なるのは、ウェアブル携帯機器１５０をＧＰＳかつ例えば心電計を搭載した医療携帯機器１５０Ｂとし、管理センタ５００を、医療管理センタ５００Ｂとした点である。
【００３３】
以上のように構成された第２の実施形態であるウェアブル携帯機器の充電システム全体の信号の流れは図１と同様である。
【００３４】
図４は、第２の実施形態におけるエネルギ発生装置のブロック図と充電対象となるＧＰＳかつ医療測定機器を搭載したウェアブル携帯機器のブロック図である。図４において、１５１は太陽電池パネル、１５２はバッテリー、１５３はＧＰＳ、１５４は送受信部、２１１はリモコン３００からの入力信号を受信する入力インターフェース、２１２はマイコン、２１３はメモリ、２１４は赤外線を送信する赤外線出力インターフェース、２１０は入力インターフェース２１１、マイコン２１２、メモリ２１３、赤外線出力インターフェース２１４を備えたエネルギ発生装置であり、３００はリモコン、Ｅ２１０はエネルギ発生装置２１０からウェアブル携帯機器１５０へ送信される例えば赤外線といったエネルギであり、以上は図２の構成と同様なものである。
【００３５】
図２の構成と異なるのは、医療計測部１５５を設け、１５０Ｂは、太陽電池パネル１５１、バッテリー１５２、ＧＰＳ１５３、送受信部１５４、医療計測部１５５を備えたウェアブル携帯機器である点である。
【００３６】
上記のように構成された第２の実施の形態であるウェアブル携帯機器の充電システムの詳細について説明する。図４において、本発明の第１の実施形態と同じ構成要素は同じ符号を付けて説明を省略し、異なる点を中心に説明する。
【００３７】
例えば、ウェアブル携帯機器１５０Ｂを、心電計を搭載した携帯機器とする。使用者は、このウェアブル携帯機器１５０Ｂを身に付けることにより、医療管理センタ５００Ｂにて、無線電波Ｓ１５０を用いた、使用者の不整脈や狭心症の状態のデータ記録が行われる。そして例えば、データ内容に人命に影響する大きな異常があれば、医療管理センタ５００Ｂが、使用者の位置特定を行い、その場所へ救命員を派遣するといった迅速で的確なサービスが受けられる。また、図３に示すように寝具に装着されたエネルギ発生装置２１０を使って就寝することにより、本人の意思を必要とせずとも就寝時に心電計の充電も行われる。
【００３８】
以上のように、第１の実施の形態と同様な効果の他に、医療管理センタ５００Ｂにて、心電計といった医療計測部１５５から使用者の健康状態に関する情報の医療管理が随時できる。使用者の健康状態に関する情報が、医療管理センタ５００Ｂへデータが送信され、記録され、これで、使用者は、頻繁に自身の医療データ記録のために病院へ診察を受けに行く必要がなくなる。
【００３９】
さらに、医療管理センタ５００Ｂにて、使用者の位置情報が確認できるため、緊急時には、使用者の所在場所へ、救命員を派遣するといった迅速で的確なサービスが受けられる。
【００４０】
なお、医療計測部１５５は、心電計の他、脳波計やその他医療計測部全般を対象としてもよい。ウェアブル携帯機器１５０Ｂにおいて、ＧＰＳ１５３を必須としているが、医療管理センタ５００Ｂによる位置特定を必要とせず、医療計測部１５５の充電のみを目的とするならば、特にＧＰＳ１５３を搭載しなくてもよい。
【００４１】
（実施の形態３）
図５は、本発明の第３の実施形態におけるウェアブル携帯機器の充電システムの全体を示す構成図である。図５において、２１０は寝具に装着されたエネルギ発生装置、４００はＧＰＳ衛星、４５０は基地局、５００はウェアブル携帯機器からの情報を受信する管理センタ、Ｓ１５０は、ウェアブル携帯機器１５０から基地局４５０への無線電波で構成され、以上は図１の構成と同様なものである。図１の構成と異なるのは、エネルギ発生装置２１０Ｂとし、管理センタ５００を、医療管理センタ５００Ｂとし、それらエネルギ発生装置２１０Ｂと医療管理センタ５００Ｂの間を通信する無線電波Ｓ２１０を設けた点である。なお、無線電波Ｓ２１０は基地局４５０を経由し通信する。
【００４２】
以上のように構成された第３の実施形態であるウェアブル携帯機器１５０の充電システム全体の信号の流れについて説明する。図５において、本発明の第１の実施形態と同じ構成要素は同じ符号を付けて、説明を省略し、異なる点を中心に説明する。
【００４３】
第１の実施の形態と同様な動作の他に、例えば枕といった寝具に装着されたエネルギ発生装置２１０Ｂからも、医療管理センタ５００Ｂにて、基地局４５０を経由した無線電波Ｓ２１０により相互に通信を行う。
【００４４】
図６は、第３の実施形態における医療効果を備えたエネルギ発生装置のブロック図と充電対象となるウェアブル携帯機器のブロック図である。図６において、１５１は太陽電池パネル、１５２はバッテリー、１５３はＧＰＳ、１５４は送受信部、１５０は、太陽電池パネル１５１、バッテリー１５２、ＧＰＳ１５３、送受信部１５４を備えたウェアブル携帯機器、エネルギ発生装置２１０であり、以上は図２の構成と同様なものである。図２の構成と異なるのは、使用者の身体から健康状態を読み取る健康状態認識センサ２５１、医療管理センタ５００Ｂと通信を行う通信制御部２５２、音声出力部２５３を備えた追加ブロック８００を、エネルギ発生装置２１０に追加し、新たにエネルギ発生装置２１０Ｂとし、通信制御部２５２と医療管理センタ５００Ｂとを、無線電波Ｓ２１０にて通信可能とした点である。
【００４５】
以上のように構成された第３の実施の形態であるウェアブル携帯機器の充電システムの詳細について、以下、その動作を説明する。図６において、本発明の第１の実施形態と同じ構成要素は同じ符号を付けて、説明を省略し、異なる点を中心に説明する。
【００４６】
第１の実施の形態と同様な動作の他に、例えば、エネルギ発生装置２１０Ｂの健康状態認識センサ２５１が体温や心拍といった使用者の健康状態を読み取り、その情報を無線電波Ｓ２１０にて、エネルギ発生装置２１０Ｂの通信制御部２５２から医療管理センタ５００Ｂへデータ送信し、記録をする。そのデータ内容を元に医療管理センタ５００Ｂでは、個人の健康状態における対応処置を判断し、その情報結果を、通信制御部２５２へ送信する。
【００４７】
例えば、その情報結果にて、例えば肩などの体の一部にこりなどがある場合は、再度、健康状態認識センサ２５１で、その位置を特定し、その特定箇所へピンポイントに赤外線をあて、暖める。
【００４８】
また、精神状態にリラックスが必要な場合は、医療管理センタ５００Ｂから適切な楽曲をダウンロードし、音声出力部２５３で、音声や音楽を出力させ、リラックス効果をもたらす。
【００４９】
以上のように、第１の実施の形態と同様な効果の他に、エネルギ発生装置２１０へ追加ブロック８００を追加したエネルギ発生装置２１０Ｂを設け、通信制御部２５２と医療管理センタ５００Ｂとを、無線電波Ｓ２１０にて通信可能とすることにより、体温計や心拍計といった健康状態認識センサ２５１から使用者の健康状態に関する情報の医療管理が随時でき、さらに、使用者の症状に合わせ、特定の箇所の血行をよくし、リラックスをもたらすといった医療効果がある。
【００５０】
なお、無線電波Ｓ２１０に代えて、電話回線などの有線通信でもよい。
【００５１】
また、さらなる医療効果をもたらすべく、第２の実施形態にあるウェアブル携帯機器１５０Ｂと第３の本実施形態にあるエネルギ発生装置２１０Ｂを組み合わせたものもよいとする。
【００５２】
【発明の効果】
請求項１記載のウェアブル携帯機器の充電システムによれば、日常生活道具である寝具に装着されたエネルギ発生装置から、例えば赤外線を太陽電池パネルにエネルギ配給する。光電効果により、バッテリへ充電が行われ、ウェアブル携帯機器が使用可能となる。接近距離が近く、毎日一定時間利用する寝具をエネルギ発生、送信装置とすることによって、効果的にウェアブル通信機器を充電することができる。
【００５３】
したがって、例えば枕といった寝具にエネルギ発生装置を備え付けることにより、本人の意思を必要せず、就寝時にもウェアブル携帯機器の充電ができる。とくに日常生活道具である枕などの寝具を用いることにより、接近距離で効果的にウェアブル通信機器を充電できる。また、充電時に身体からの取り外しを必要としないため、紛失の可能性も低くなる。
【００５４】
請求項２記載のウェアブル携帯機器の充電システムによれば、請求項１と同様の効果がある。
【００５５】
請求項３記載のウェアブル携帯機器の充電システムによれば、請求項１または請求項２と同様の効果のほか、ＧＰＳ測位装置により使用者の位置情報を得ることができ、医療機器部により使用者の健康状態に関する情報の医療管理が随時できる。
【００５６】
請求項４記載のウェアブル携帯機器の充電システムによれば、請求項１、請求項２または請求項３と同様の効果のほか、センサからの情報による医療管理が随時でき、使用者の症状に合わせて血行をよくしたりリラックスさせるといった医療効果を施せる。
【図面の簡単な説明】
【図１】本発明の第１の実施形態における充電システムの構成図である。
【図２】本発明の第１の実施形態におけるエネルギ発生装置とウェアブル携帯機器のブロック図である。
【図３】本発明の第２の実施形態における充電システムの構成図である。
【図４】本発明の第２の実施形態におけるエネルギ発生装置とＧＰＳ機能および医療機器搭載のウェアブル携帯機器のブロック図である。
【図５】本発明の第３の実施形態における充電システムの構成図である。
【図６】本発明の第３の実施形態における医療効果を備えたエネルギ発生装置とウェアブル携帯機器のブロック図である。
【符号の説明】
１５０        ウェアブル携帯機器
１５０Ｂ  ウェアブル携帯機器
１５１        太陽電池パネル
１５２        バッテリー
１５３    ＧＰＳ
１５４    送受信部
１５５        医療計測器
２１０        エネルギ発生装置
２１０Ｂ  エネルギ発生装置
２１１        入力インターフェース
２１２        マイコン
２１３        メモリ
２１４        赤外線出力インターフェース
２５１        健康状態認識センサ
２５２        通信制御部
２５３        音声出力部
３００        リモコン
４００        ＧＰＳ衛星
４５０        基地局
５００        管理センタ
５００Ｂ  医療管理センタ
８００        追加ブロック
Ｅ２１０    赤外線
Ｓ１５０    無線電波（信号）
Ｓ２１０    無線電波（信号）
【図１】
2004236713.tif 000003
【図２】
2004236713.tif 000004
【図３】
2004236713.tif 000005
【図４】
2004236713.tif 000006
【図５】
2004236713.tif 000007
【図６】
2004236713.tif 000008